(57)【特許請求の範囲】
【請求項１】
無線送受信ユニット（ＷＴＲＵ）において実施される方法において、
複数のリソースブロック（ＲＢ）を受信するステップであって、
前記複数のＲＢの各々ＲＢは、複数のリソース要素（ＲＥ）を含み、
前記ＲＥは、１つ以上のデータシンボル、１つ以上の制御タイプデータシンボル、単一の無線送受信ユニット（ＷＴＲＵ）に特有の１つ以上の専用基準信号（ＤＲＳ）を含み、
前記制御タイプデータシンボルは、複数のＤＲＳモードのいずれかをシグナリングするＤＲＳモードインジケータを含み、
前記複数のＤＲＳモードの第１のＤＲＳモードにおいて、前記ＲＥの第１の構成が前記ＤＲＳのために使用され、前記ＤＲＳは単一のビームフォーミングされたまたはプレコーディングされたパイロットを含み、
前記複数のＤＲＳモードの第２のＤＲＳモードにおいて、前記ＲＥの第２の構成が前記ＤＲＳのために使用され、前記ＤＲＳはコンポジットのビームフォーミングされたまたはプレコーディングされたパイロットを含む、受信するステップと、
前記シグナリングされたＤＲＳモードに基づいて、前記ＲＥのいずれが前記ＤＲＳを含むのかを決定するステップと、
前記少なくとも１つのＤＲＳに基づいて、チャネル応答を推定するステップと、
前記推定されたチャネル応答に基づいて、前記データシンボルの中でデータを復号するステップと
を備えることを特徴とする方法。
【請求項２】
前記複数のＤＲＳモードの各々のＤＲＳモードは、送信レイヤの数を示すことを特徴とする請求項１に記載の方法。
【請求項３】
前記複数のＲＢの各々ＲＢは、前記ＤＲＳモードインジケータを含む前記制御タイプデータシンボルを含むことを特徴とする請求項１に記載の方法。
【請求項４】
前記複数のＤＲＳモードの第３のＤＲＳモードにおいて、
前記ＲＥの第３の構成が前記ＤＲＳのために使用され、
前記複数のＲＢの第１のＲＢの前記ＤＲＳは、単一のビームフォーミングされたまたはプレコーディングされたパイロットを含み、
前記複数のＲＢの第２のＲＢの前記ＤＲＳは、コンポジットのビームフォーミングされたまたはプレコーディングされたパイロットを含むことを特徴とする請求項１に記載の方法。
【請求項５】
前記複数のＤＲＳモードの第３のＤＲＳモードにおいて、
前記ＲＥの第３の構成が前記ＤＲＳのために使用され、
前記複数のＲＢの第１のＲＢの前記ＤＲＳは、単一のビームフォーミングされたまたはプレコーディングされたパイロットを含み、
前記複数のＲＢの第２のＲＢの前記ＤＲＳは、コンポジットのビームフォーミングされたまたはプレコーディングされたパイロットを含み、
前記複数のＲＢの第３のＲＢの前記ＲＥは、ＤＲＳを欠いていることを特徴とする請求項１に記載の方法。
【請求項６】
前記複数のＤＲＳモードの第３のＤＲＳモードにおいて、
前記ＲＥの第３の構成が前記ＤＲＳのために使用され、
前記複数のＲＥの第１のグループは、単一のビームフォーミングされたまたはプレコーディングされたパイロットとして形成された前記ＤＲＳのために予約され、
前記複数のＲＥの第２のグループは、コンポジットのビームフォーミングされたまたはプレコーディングされたパイロットとして形成された前記ＤＲＳのために予約されたことを特徴とする請求項１に記載の方法。
【請求項７】
前記複数のＤＲＳモードの第３のＤＲＳモードにおいて、
前記ＲＥの第３の構成が前記ＤＲＳのために使用され、
前記ＤＲＳは、単一のビームフォーミングされたまたはプレコーディングされたパイロットならびにコンポジットのビームフォーミングされたまたはプレコーディングされたパイロットの組み合わせを含むことを特徴とする請求項１に記載の方法。
【請求項８】
前記複数のＤＲＳモードの第３のＤＲＳモードにおいて、
前記１つ以上のＤＲＳは、複数のＤＲＳであって、
前記複数のＤＲＳは、少なくとも１つの単一のビームフォーミングされたまたはプレコーディングされたパイロット並びに少なくとも１つのコンポジットのビームフォーミングされたまたはプレコーディングされたパイロットを含むことを特徴とする請求項１に記載の方法。
【請求項９】
前記ＤＲＳモードインジケータは、ＤＲＳモードにおける変更を示すことを特徴とする請求項１に記載の方法。
【請求項１０】
前記第１のＤＲＳモードは、単一の送信レイヤを示すことを特徴とする請求項１に記載の方法。
【請求項１１】
前記第１のＤＲＳモードは、複数の送信レイヤを示すことを特徴とする請求項１に記載の方法。
【請求項１２】
前記ＤＲＳモードインジケータを受信するステップをさらに備えることを特徴とする請求項１に記載の方法。
【請求項１３】
無線送受信ユニット（ＷＴＲＵ）において、
複数のリソースブロック（ＲＢ）を受信するよう構成された多入力−多出力（ＭＩＭＯ）アンテナであって、
前記複数のＲＢの各々ＲＢは、複数のリソース要素（ＲＥ）を含み、
前記ＲＥは、１つ以上のデータシンボル、１つ以上の制御タイプデータシンボル、単一の無線送受信ユニット（ＷＴＲＵ）に特有の１つ以上の専用基準信号（ＤＲＳ）を含み、
前記制御タイプデータシンボルは、複数のＤＲＳモードのいずれかをシグナリングするＤＲＳモードインジケータを含み、
前記複数のＤＲＳモードの第１のＤＲＳモードにおいて、前記ＲＥの第１の構成が前記ＤＲＳのために使用され、前記ＤＲＳは単一のビームフォーミングされたまたはプレコーディングされたパイロットを含み、
前記複数のＤＲＳモードの第２のＤＲＳモードにおいて、前記ＲＥの第２の構成が前記ＤＲＳのために使用され、前記ＤＲＳはコンポジットのビームフォーミングされたまたはプレコーディングされたパイロットを含む、ＭＩＭＯアンテナと、
前記シグナリングされたＤＲＳモードに基づいて、前記ＲＥのいずれが前記ＤＲＳを含むのかを決定するよう構成されたシグナル解析ユニットと、
前記ＤＲＳに基づいて、チャネル応答を推定するよう構成されたチャネル推定ユニットと、
前記推定されたチャネル応答に基づいて、前記データシンボルの中でデータを復号するよう構成されたデータ復号ユニットと
を備えたことを特徴とするＷＴＲＵ。
【請求項１４】
前記複数のＤＲＳモードの各々のＤＲＳモードは、送信レイヤの数を示すことを特徴とする請求項１３に記載のＷＴＲＵ。
【請求項１５】
前記複数のＲＢの１つ以上のＲＢは、前記ＤＲＳモードインジケータを含む前記制御タイプデータシンボルを含むことを特徴とする請求項１３に記載のＷＴＲＵ。
【請求項１６】
前記複数のＤＲＳモードの第３のＤＲＳモードにおいて、
前記ＲＥの第３の構成が前記ＤＲＳのために使用され、
前記複数のＲＢの第１のＲＢの前記ＤＲＳは、単一のビームフォーミングされたまたはプレコーディングされたパイロットを含み、
前記複数のＲＢの第２のＲＢの前記ＤＲＳは、コンポジットのビームフォーミングされたまたはプレコーディングされたパイロットを含むことを特徴とする請求項１３に記載のＷＴＲＵ。
【請求項１７】
前記複数のＤＲＳモードの第３のＤＲＳモードにおいて、
前記ＲＥの第３の構成が前記ＤＲＳのために使用され、
前記複数のＲＢの第１のＲＢの前記ＤＲＳは、単一のビームフォーミングされたまたはプレコーディングされたパイロットを含み、
前記複数のＲＢの第２のＲＢの前記ＤＲＳは、コンポジットのビームフォーミングされたまたはプレコーディングされたパイロットを含み、
前記複数のＲＢの第３のＲＢの前記ＲＥは、ＤＲＳを欠いていることを特徴とする請求項１３に記載のＷＴＲＵ。
【請求項１８】
前記複数のＤＲＳモードの第３のＤＲＳモードにおいて、
前記ＲＥの第３の構成が前記ＤＲＳのために使用され、
前記複数のＲＥの第１のグループは、単一のビームフォーミングされたまたはプレコーディングされたパイロットとして形成された前記ＤＲＳのために予約され、
前記複数のＲＥの第２のグループは、コンポジットのビームフォーミングされたまたはプレコーディングされたパイロットとして形成された前記ＤＲＳのために予約されることを特徴とする請求項１３に記載のＷＴＲＵ。
【請求項１９】
前記複数のＤＲＳモードの第３のＤＲＳモードにおいて、
前記ＲＥの第３の構成が前記ＤＲＳのために使用され、
前記ＤＲＳは、単一のビームフォーミングされたまたはプレコーディングされたパイロット並びにコンポジットのビームフォーミングされたまたはプレコーディングされたパイロットの組み合わせを含むことを特徴とする請求項１３に記載のＷＴＲＵ。
【請求項２０】
前記複数のＤＲＳモードの第３のＤＲＳモードにおいて、
前記１つ以上のＤＲＳは、複数のＤＲＳであって、
前記複数のＤＲＳは、少なくとも１つの単一のビームフォーミングされたまたはプレコーディングされたパイロット並びに少なくとも１つのコンポジットのビームフォーミングされたまたはプレコーディングされたパイロットを含むことを特徴とする請求項１３に記載のＷＴＲＵ。
【請求項２１】
前記ＤＲＳモードインジケータは、ＤＲＳモードにおける変更を示すことを特徴とする請求項１３に記載のＷＴＲＵ。
【請求項２２】
前記データ復号ユニットは、推定共有チャネル応答または推定実効チャネル応答に基づいて、前記１つ以上の制御タイプデータから前記ＤＲＳモードインジケータを復号するよう構成されていることを特徴とする請求項１３に記載のＷＴＲＵ。
【請求項２３】
前記ＲＥは、複数のＷＴＲＵのための１つ以上の共通基準信号（ＣＲＳ）を含み、前記チャネル推定ユニットは、前記ＣＲＳに基づいて、前記推定共有チャネル応答を推定するように構成されていることを特徴とする請求項２２に記載のＷＴＲＵ。
【請求項２４】
プロセッサと受信機とを備えた無線送受信ユニット（ＷＴＲＵ）において、
前記受信機は、複数のリソースブロック（ＲＢ）を受信するよう構成されており、
前記複数のＲＢの各々ＲＢは、複数のリソース要素（ＲＥ）を含み、
前記ＲＥは、１つ以上のデータシンボル、１つ以上の制御タイプデータシンボル、単一の無線送受信ユニット（ＷＴＲＵ）に特有の１つ以上の専用基準信号（ＤＲＳ）を含み、
前記制御タイプデータシンボルは、複数のＤＲＳモードのいずれかをシグナリングするＤＲＳモードインジケータを含み、
前記複数のＤＲＳモードの第１のＤＲＳモードにおいて、前記ＲＥの第１の構成が前記ＤＲＳのために使用され、前記ＤＲＳは単一のビームフォーミングされたまたはプレコーディングされたパイロットを含み、
前記複数のＤＲＳモードの第２のＤＲＳモードにおいて、前記ＲＥの第２の構成が前記ＤＲＳのために使用され、前記ＤＲＳはコンポジットのビームフォーミングされたまたはプレコーディングされたパイロットを含み、
前記プロセッサは、
前記シグナリングされたＤＲＳモードに基づいて、前記ＲＥのいずれが前記ＤＲＳを含むのかを決定し、
前記ＤＲＳに基づいてチャネル応答を推定し、並びに、
前記推定されたチャネル応答に基づいて前記データシンボルの中でデータを復号するよう構成されたこと
を特徴とするＷＴＲＵ。
【請求項２５】
前記複数のＤＲＳモードの各々のＤＲＳモードは、送信レイヤの数を示すことを特徴とする請求項２４に記載のＷＴＲＵ。
【請求項２６】
前記複数のＲＢの１つ以上のＲＢは、前記ＤＲＳモードインジケータを含む前記制御タイプデータシンボルを含むことを特徴とする請求項２４に記載のＷＴＲＵ。
【請求項２７】
前記複数のＤＲＳモードの第３のＤＲＳモードにおいて、
前記ＲＥの第３の構成が前記ＤＲＳのために使用され、
前記複数のＲＢの第１のＲＢの前記ＤＲＳは、単一のビームフォーミングされたまたはプレコーディングされたパイロットを含み、
前記複数のＲＢの第２のＲＢの前記ＤＲＳは、コンポジットのビームフォーミングされたまたはプレコーディングされたパイロットを含むことを特徴とする請求項２４に記載のＷＴＲＵ。
【請求項２８】
前記複数のＤＲＳモードの第３のＤＲＳモードにおいて、
前記ＲＥの第３の構成が前記ＤＲＳのために使用され、
前記複数のＲＢの第１のＲＢの前記ＤＲＳは、単一のビームフォーミングされたまたはプレコーディングされたパイロットを含み、
前記複数のＲＢの第２のＲＢの前記ＤＲＳは、コンポジットのビームフォーミングされたまたはプレコーディングされたパイロットを含み、
前記複数のＲＢの第３のＲＢの前記ＲＥは、ＤＲＳを欠いていることを特徴とする請求項２４に記載のＷＴＲＵ。
【請求項２９】
前記複数のＤＲＳモードの第３のＤＲＳモードにおいて、
前記ＲＥの第３の構成が前記ＤＲＳのために使用され、
前記ＲＥの第１のグループは、単一のビームフォーミングされたまたはプレコーディングされたパイロットとして形成された前記ＤＲＳのために予約され、
前記ＲＥの第２のグループは、コンポジットのビームフォーミングされたまたはプレコーディングされたパイロットとして形成された前記ＤＲＳのために予約されることを特徴とする請求項２４に記載のＷＴＲＵ。
【請求項３０】
前記複数のＤＲＳモードの第３のＤＲＳモードにおいて、
前記ＲＥの第３の構成が前記ＤＲＳのために使用され、
前記ＤＲＳは、単一のビームフォーミングされたまたはプレコーディングされたパイロット並びにコンポジットのビームフォーミングされたまたはプレコーディングされたパイロットの組み合わせを含むことを特徴とする請求項２４に記載のＷＴＲＵ。
【請求項３１】
前記複数のＤＲＳモードの第３のＤＲＳモードにおいて、
前記１つ以上のＤＲＳは、前記複数のＤＲＳであって、
前記複数のＤＲＳは、少なくとも１つの単一のビームフォーミングされたまたはプレコーディングされたパイロット並びに少なくとも１つのコンポジットのビームフォーミングされたまたはプレコーディングされたパイロットを含むことを特徴とする請求項２４に記載のＷＴＲＵ。
【請求項３２】
前記複数のＤＲＳモードの各々のＤＲＳモードは、送信レイヤの数を示すことを特徴とする請求項２４に記載のＷＴＲＵ。
【請求項３３】
前記複数のＲＢの１つ以上のＲＢは、前記ＤＲＳモードインジケータを含む前記制御タイプデータシンボルを含むことを特徴とする請求項２４に記載のＷＴＲＵ。
【請求項３４】
前記ＤＲＳモードインジケータは、ＤＲＳモードにおける変更を示すことを特徴とする請求項２４に記載のＷＴＲＵ。
【発明の詳細な説明】
【背景技術】
【０００１】
本発明は、無線通信に関する
ビームフォーミング情報またはプレコーディング情報は、送信信号と受信信号との間のチャネル不一致を避けるために、送信機（たとえば、基地局）から受信機（たとえば、無線送受信ユニット（ＷＴＲＵ））に通信される必要がある。これは、ビームフォーミングおよびプレコーディングが使用される時のＭＩＭＯ（ｍｕｌｔｉｐｌｅ−ｉｎｐｕｔ  ｍｕｌｔｉｐｌｅ−ｏｕｔｐｕｔ）データ復調にとって特に重要である。受信機がデータ検出に誤ったチャネル応答を使用するときには、著しい性能劣化が発生し得る。
【発明の概要】
【発明が解決しようとする課題】
【０００２】
一般に、ビームフォーミング情報またはプレコーディング情報は、特に送信機および受信機がビームフォーミングおよびプレコーディングに関するアンテナ重み係数の限定セットの使用に限定される時に、系統だった制御シグナリングを使用して通信され得る。アンテナ重み係数の限定セットを、時々、ビームフォーミングコードブックまたはプレコーディングコードブックと称する。ビームフォーミング情報またはプレコーディング情報を送信機から受信機に通信するための明示的シグナリングは、特に大きいサイズのコードブックに関して、大きいシグナリングオーバヘッドを被る場合がある。送信機および受信機が、ビームフォーミングおよびプレコーディングに関してアンテナ重み係数の限定セットに限定されないときには、制御チャネルを介するビームフォーミング情報またはプレコーディング情報の系統だったシグナリングは、もはやできない。誤った有効チャネル応答情報または誤ったプレコーディング情報は、重大なビット誤り率（ＢＥＲ）フロア（floor）および／またはブロック誤り率（ＢＬＥＲ）フロアをもたらすので、正確な有効チャネル応答情報を入手する効率的な方法が望ましい。さらに、および満足できる性能やオーバーヘッドのトレードオフ（交換）を達成する効率的な方法（仕組み）が望ましい。
【課題を解決するための手段】
【０００３】
複数の送信アンテナを有するＭＩＭＯアンテナを介して送信されるリソースブロック（ＲＢ）の送信および復号を開示する。各ＲＢは、複数のリソース要素（ＲＥ）を含む。各ＲＥは、送信アンテナのうちの１つに関連する共通基準信号（ｃｏｍｍｏｎ  ｒｅｆｅｒｅｎｃｅ  ｓｉｇｎａｌ、ＣＲＳ）、単一のビームフォーミングされたまたは単一のプレコーディングされたパイロットを含む専用基準信号（ｄｅｄｉｃａｔｅｄ  ｒｅｆｅｒｅｎｃｅ  ｓｉｇｎａｌ、ＤＲＳ）、コンポジットのビームフォーミングされたまたはコンポジットのプレコーディングされたパイロットを含むＤＲＳ、およびデータシンボルのうちの１つのために予約される。各ＲＢは、そのＲＢに関連するＤＲＳモードを示す「制御タイプ」データシンボルを含むことができる。あるＤＲＳモードでは、各ＤＲＳは、単一のビームフォーミングされた、または単一のプレコーディングされたパイロットを含む。別のＤＲＳモードでは、各ＤＲＳは、コンポジットのビームフォーミングされた、またはコンポジットのプレコーディングされたパイロットを含む。さらに別のＤＲＳモードでは、単一のビームフォーミングされた、または単一のプレコーディングされたパイロット、およびコンポジットのビームフォーミングされた、またはコンポジットのプレコーディングされたパイロットが共存することができ、同一ＲＢ内でまたは異なるＲＢ内で同時に送信され得る。
【０００４】
本発明のより詳細な理解は、例示として与えられ、添付図面と共に理解されるべき、好ましい実施形態の下記の説明から得ることができる。
【発明の効果】
【０００５】
以上説明したように、本発明により、ビームフォーミング情報またはプレコーディング情報を送信機から受信機に通信するための、正確な有効チャネル応答情報を入手する効率的な方法が、さらに、および満足できる性能やオーバーヘッドのトレードオフ（交換）を達成する効率的な方法（仕組み）が実現できる。
【図面の簡単な説明】
【０００６】
【図１】基地局およびＷＴＲＵを含む無線通信システムを示す図である。
【図２】図１のシステム内基地局によって送信されるＲＢ構造の例を示す図である。
【図３】図１のシステム内基地局によって送信されるＲＢ構造の例を示す図である。
【図４】図１のシステム内基地局によって送信されるＲＢ構造の例を示す図である。
【図５】図１のシステム内基地局によって送信されるＲＢ構造の例を示す図である。
【図６】図１のシステム内基地局によって送信されるＲＢ構造の例を示す図である。
【図７】図１のシステム内基地局によって送信されるＲＢ構造の例を示す図である。
【図８】図１のシステム内基地局によって送信されるＲＢ構造の例を示す図である。
【図９】図１のシステム内の基地局によって送信されたＲＢ構造内のデータを検出／復調するために図１のシステム内のＷＴＲＵによって使用される有効チャネル応答推定値を生成する処理手順を示す流れ図である。
【図１０】図１のシステム内の基地局を示すブロック図である。
【図１１】図１のシステム内のＷＴＲＵを示すブロック図である。
【図１２】図１のシステム内のＷＴＲＵを示すブロック図である。
【発明を実施するための形態】
【０００７】
以下で言及する時に、用語「無線送受信ユニット（ＷＴＲＵ）」は、ユーザ機器（ＵＥ）、移動局、固定のまたはモバイル（移動電話）の加入者装置、ページャ（ポケットベル）、セル電話機（携帯電話機）、携帯情報端末（ＰＤＡ）、コンピュータ、または無線環境で動作できる任意の他のタイプのユーザデバイスを含むが、これらに限定はされない。以下で言及する時に、用語「基地局」は、Ｎｏｄｅ−Ｂ、サイトコントローラ、アクセスポイント（ＡＰ）、または無線環境で動作できる任意の他のタイプのインターフェースデバイスを含むが、これらに限定はされない。
【０００８】
図１に、基地局１０５およびＷＴＲＵ  １１０を含む無線通信システム１００を示す。基地局１０５は、複数の送信アンテナ１１５Ａ、１１５Ｂ、１１５Ｃ、および１１１５Ｄを有するＭＩＭＯアンテナ１１５を備えることができる。ＷＴＲＵ  １１０も、複数の受信アンテナ１２０Ａ、１２０Ｂ、１２０Ｃ、および１２０Ｄを有するＭＩＭＯアンテナ１２０を備えることができる。基地局１０５は、ＲＢ  １２５をＷＴＲＵ  １１０に送信することによって、ＷＴＲＵ  １１０と通信する。ＲＢ  １２５のそれぞれは、複数のＲＥを含む特定のＲＢ構造を有する。特定のＲＢ構造に従って、各ＲＥを、次のうちの１つのために予約（reserve）することができる。
【０００９】
１）基地局１０５の送信アンテナ１１５Ａ、１１５Ｂ、１１５Ｃ、および１１１５Ｄのうちの１つに関連する共通基準信号（ＣＲＳ）、
２）単一のビームフォーミングされた、または単一のプレコーディングされたパイロットを含むＤＲＳ、
３）コンポジットのビームフォーミングされた、またはコンポジットのプレコーディングされたパイロットを含むＤＲＳ、および
４）データシンボル。
【００１０】
ＲＢ  １２５のＲＥによって予約されるデータシンボルの少なくとも一部は、ＤＲＳモードインジケータ（指標）を含む「制御タイプ」データシンボルである。復号された後に、ＤＲＳモードインジケータは、基地局１０５によって送信されたＲＢ  １２５内のデータシンボルをＷＴＲＵ  １１０が正しく検出／復調することを可能にする。
【００１１】
有効チャネル応答情報および／またはビームフォーミング情報もしくはプリコーディング情報の入手に関する性能とオーバーヘッドとの間のバランスをとる、（ＰＭＩ妥当性確認（バリテーション）によるなどの）、複数の方法を利用することができる。ＲＥが単一のビームフォーミングされた、または単一のプレコーディングされたパイロットおよび／またはコンポジットのビームフォーミングされた、またはコンポジットのプレコーディングされたパイロットを含むＤＲＳのために予約されるハイブリッドＤＲＳ方式が導入され、ここで、ＲＢあたり複数（Ｎ個）のＤＲＳが使用される。
【００１２】
図２に、基地局１０５によって送信されるＲＢ構造の一例を示す。複数のＲＢ  ２０５および２１０のそれぞれは、データシンボルのために予約された複数のＲＥ（Ｄ）、それぞれの基地局送信アンテナに関連するＣＲＳのために予約された複数のＲＥ（Ｔ1〜Ｔ4）、および単一のビームフォーミングされた、または単一のプレコーディングされたパイロット、あるいはコンポジットのビームフォーミングされた、またはコンポジットのプレコーディングされたパイロットのいずれかを含むＤＲＳのために予約された複数のＲＥ（Ｐ）を含む。図２に示されているように、ＤＲＳは、ＲＥ  ２１５、２２０、２２５、２３０、２３５、２４０、２４５、２５０、２５５、２６０、２６５、および２７０によって予約される。
【００１３】
１つの構成またはモード（すなわち、ＤＲＳモード１）では、Ｎ個のＤＲＳが、Ｎ個の単一のビームフォーミングされた、または単一のプレコーディングされたパイロットを含む。図３に、ＤＲＳモード１に従って基地局１０５によって送信可能なＲＢ構造の一例を示し、これによって、複数のＲＢ  ３０５および３１０のそれぞれは、データシンボルのために予約された複数のＲＥ（Ｄ）、それぞれの基地局送信アンテナに関連するＣＲＳのために予約された複数のＲＥ（Ｔ1〜Ｔ4）、および単一のビームフォーミングされた、または単一のプレコーディングされたパイロットＰ1あるいは単一のビームフォーミングされた、または単一のプレコーディングされたパイロットＰ2のいずれかを含むＤＲＳのために予約された複数のＲＥを含む。各単一のビームフォーミングされた、または単一のプレコーディングされたパイロットは、複数の要素を有し、この要素のそれぞれは、基地局１０５のＭＩＭＯアンテナのそれぞれの送信アンテナによって送信される。図３に示されているように、ＤＲＳは、ＲＥ  ３１５、３２０、３２５、３３０、３３５、３４０、３４５、３５０、３５５、３６０、３６５、および３７０によって予約される。
【００１４】
ＤＲＳモード１が使用される時に、有効チャネル応答を、ＤＲＳ（Ｐ1およびＰ2）を使用してＷＴＲＵ  １１０によって直接に推定することができる。さらに、有効チャネル応答推定値を、共通チャネルとＤＲＳを介するプレコーディング行列検証によって入手されるプレコーディング行列とを使用して計算することもできる。少数のアクティブＭＩＭＯレイヤ（すなわち、１つまたはおそらくは２つのデータストリーム送信など、少数のデータストリーム送信）がある場合には、ＤＲＳモード１を使用することができる。ＤＲＳモード１は、低から中のデータ転送速度の送信にまたは信号受信地域を広げるのに適する。
【００１５】
もう１つの構成またはモード（すなわち、ＤＲＳモード２）では、Ｎ個のＤＲＳが、Ｎ個のコンポジットのビームフォーミングされた、またはコンポジットのプレコーディングされたパイロットを含む。図４に、ＤＲＳモード２に従って基地局１０５によって送信可能なＲＢ構造の一例を示し、これによって、複数のＲＢ  ４０５および４１０のそれぞれは、データシンボルのために予約された複数のＲＥ（Ｄ）、それぞれの基地局送信アンテナに関連するＣＲＳのために予約された複数のＲＥ（Ｔ1〜Ｔ4）、およびコンポジットのビームフォーミングされた、またはコンポジットのプレコーディングされたパイロットを含むＤＲＳのために予約された複数のＲＥ（Ｐ1＋Ｐ2）を含む。各コンポジットのビームフォーミングされた、またはコンポジットのプレコーディングされたパイロットは、複数の要素を有し、この要素のそれぞれは、基地局１０５のＭＩＭＯアンテナのそれぞれの送信アンテナによって送信される。図４に示されているように、ＤＲＳは、ＲＥ  ４１５、４２０、４２５、４３０、４３５、４４０、４４５、４５０、４５５、４６０、４６５、および３７０によって予約される。この場合に、有効チャネル応答を、共通チャネルと、ＤＲＳを介するプレコーディング行列検証によって入手されるプレコーディング行列とを使用して計算することができる。
【００１６】
図５に、やはりＤＲＳモード２に従って基地局１０５によって送信できるが、図４のＲＢ構造より実質的に低いＤＲＳ密度を有するＲＢ構造の一例を示し、これによって、ＲＢ  ５０５は、コンポジットのビームフォーミングされた、またはコンポジットのプレコーディングされたパイロットを含むＤＲＳのために予約された２つのＲＥ  ５１５および５２０（Ｐ1＋Ｐ2）だけを有し、ＲＢ  ５１０は、コンポジットのビームフォーミングされた、またはコンポジットのプレコーディングされたパイロットを含むＤＲＳのために予約された２つのＲＥ  ５２５および５３０（Ｐ1＋Ｐ2）だけを有する。
【００１７】
ＷＴＲＵ  １１０は、専用パイロットを使用して有効チャネル応答を直接に推定することができる。さらに、有効チャネル応答を、単一のビームフォーミングされた、または単一のプレコーディングされたパイロットを介するプレコーディグ行列インデックス（ｐｒｅｃｏｄｉｎｇ  ｍａｔｒｉｘ  ｉｎｄｅｘ、ＰＭＩ）検証によって入手されたプレコーディング行列を使用して計算することもできる。２つまたは３つ以上のデータ送信ストリームなど、多数のアクティブＭＩＭＯレイヤがある場合には、ＤＲＳモード２を使用することができる。したがって、ＤＲＳモード２は、中から高のデータ転送速度の送信に適する。
【００１８】
ＷＴＲＵ  １１０は、共通パイロットまたはＣＲＳから入手された共通チャネル応答推定値に、ＤＲＳから入手されたプレコーディング行列を乗じることによって、有効チャネル応答を計算することができる。ＰＭＩ検証は、ＤＲＳに対して実行される。ＲＢあたり３つ以上のＤＲＳを使用して、性能を改善することもできる。しかし、高まったオーバーヘッドコストをこうむる場合がある。さらに、単一のビームフォーミングされた、または単一のプレコーディングされたパイロットおよび／あるいはコンポジットのビームフォーミングされた、またはコンポジットのプレコーディングされたパイロットのＲＢ内のＤＲＳへの割振りのさまざまな他の組合せも可能である。
【００１９】
もう１つの構成またはモード（すなわち、ＤＲＳモード３）では、単一のビームフォーミングされたまたは単一のプレコーディングされたパイロットと、コンポジットのビームフォーミングされたまたはコンポジットのプレコーディングされたパイロットとが、共存でき、同一ＲＢ内で、または異なるＲＢ内で同時に送信され得る。したがって、ＤＲＳモード３によれば、特定のＲＢ内のＤＲＳは、次のうちの１つを含むことができる。
【００２０】
１）単一のビームフォーミングされた、または単一のプレコーディングされたパイロットのみ、
２）コンポジットのビームフォーミングされた、またはコンポジットのプレコーディングされたパイロットのみ、および
３）単一のビームフォーミングされたまたは単一のプレコーディングされたパイロットと、コンポジットのビームフォーミングされたまたはコンポジットのプレコーディングされたパイロットとの組合せ。
【００２１】
図６に、ＤＲＳモード３に従って基地局１０５によって送信可能なＲＢ構造の一例を示し、これによって、第１の特定のＲＢ  ６０５は、単一のビームフォーミングされた、または単一のプレコーディングされたパイロットだけを含むＤＲＳのために予約された複数のＲＥ  ６１５、６２０、６２５、６３０、６３５、および６４０（Ｐ1およびＰ2）を含み、第２の特定のＲＢ  ６１０は、コンポジットのビームフォーミングされた、またはコンポジットのプレコーディングされたパイロットだけを含むＤＲＳのために予約された複数のＲＥ  ６４５、６５０、６５５、６６０、６６５、および６７０（Ｐ1＋Ｐ2）を含む。
【００２２】
単一のビームフォーミングされた、または単一のプレコーディングされたパイロットは、第１の特定のＲＢ  ６０５でのみＤＲＳに含まれ、これによって、各ＤＲＳシンボルは、１つの単一のビームフォーミングされた、または単一のプレコーディングされたパイロットのベクトルを担持する。コンポジットのビームフォーミングされた、またはコンポジットのプレコーディングされたパイロットは、第２の特定のＲＢ  ６１０でのみＤＲＳに含まれる。コンポジットのビームフォーミングされた、またはコンポジットのプレコーディングされたパイロット（Ｐ1＋Ｐ2）は、個々の単一のビームフォーミングされた、または単一のプレコーディングされたパイロット（Ｐ1およびＰ2）を互いに加えることによって生成することができる。単一のビームフォーミングされた、または単一のプレコーディングされたパイロットのベクトルは、互いに加算されるので、その結果として生じるコンポジットのビームフォーミングされた、またはコンポジットのプレコーディングされたパイロットが、１つまたは複数のＤＲＳシンボル内で送信される。したがって、上で説明したハイブリッドＤＲＳ構成では、ＤＲＳの一部が、異なるＲＢにまたがって単一のビームフォーミングされた、または単一のプレコーディングされたパイロットを含み、ＤＲＳの一部が、異なるＲＢにまたがってコンポジットのビームフォーミングされた、またはコンポジットのプレコーディングされたパイロットを含む。
【００２３】
図７に、ＤＲＳモード３に従って基地局１０５によって送信可能なＲＢ構造のもう１つの例を示す。図７のＲＢ構造内の第１の特定のＲＢ  ７０５は、単一のビームフォーミングされた、または単一のプレコーディングされたパイロットだけを含むＤＲＳのために予約されるＲＥ  ７１５、７２５、７３０、および７４０（Ｐ1およびＰ2）の第１グループと、コンポジットのビームフォーミングされた、またはコンポジットのプレコーディングされたパイロットだけを含むＤＲＳのために予約されるＲＥ  ７２０および７３５（Ｐ1＋Ｐ2）の第２グループとを含む。図７のＲＢ構造内の第２の特定のＲＢ  ７１０は、コンポジットのビームフォーミングされた、またはコンポジットのプレコーディングされたパイロットだけを含むＤＲＳのために予約されるＲＥ  ７４５、７５０、７５５、７６０、７６５、および７７０（Ｐ1＋Ｐ2）だけを含む。
【００２４】
図８に、ＤＲＳモード３に従って基地局１０５によって送信可能なＲＢ構造のもう１つの例を示す。図８のＲＢ構造内の第１の特定のＲＢ  ８０５は、単一のビームフォーミングされた、または単一のプレコーディングされたパイロットだけを含むＤＲＳのために予約されるＲＥ  ８１５、８２５、８３０、および８４０（Ｐ1およびＰ2）の第１グループと、コンポジットのビームフォーミングされた、またはコンポジットのプレコーディングされたパイロットだけを含むＤＲＳのために予約されるＲＥ  ８２０および８３５（Ｐ1＋Ｐ2）の第２グループとを含む。図８のＲＢ構造内の第２の特定のＲＢ  ８１０は、単一のビームフォーミングされた、または単一のプレコーディングされたパイロットだけを含むＤＲＳのために予約されるＲＥ  ８４５、８５５、８６０、および８７０（Ｐ1およびＰ2）の第３グループと、コンポジットのビームフォーミングされた、またはコンポジットのプレコーディングされたパイロットだけを含むＤＲＳのために予約されるＲＥ  ８５０および８６５（Ｐ1＋Ｐ2）の第４グループとを含む。各ＤＲＳシンボルは、１つの単一のビームフォーミングされた、または単一のプレコーディングされたパイロットのベクトルあるいは１つのコンポジットのビームフォーミングされた、またはコンポジットのプレコーディングされたパイロットのベクトルを担持する。
【００２５】
したがって、図８は、これによって各ＲＢ  ８０５および８１０内のＤＲＳ  ＲＥの２／３が単一のビームフォーミングされた、または単一のプレコーディングされたパイロットであり、各ＲＢ  ８０５および８１０内のＤＲＳ  ＲＥの１／３がコンポジットのビームフォーミングされた、またはコンポジットのプレコーディングされたパイロットである、ハイブリッド構成を示す。同一ＲＢ内のコンポジットのビームフォーミングされた、またはコンポジットのプレコーディングされたパイロットを含むＤＲＳ  ＲＥに対する単一のビームフォーミングされた、または単一のプレコーディングされたパイロットを含むＤＲＳ  ＲＥの比率を変更することによって、他のＲＢ構造を構成することも可能である。
【００２６】
図２〜図８によって示されるＲＢ構造は、ＲＢのそれぞれが８４（１２×７）個のＲＥを有することを示すが、任意の次元のＲＢ構造を使用することができる。さらに、データシンボル（Ｄ）、ＣＲＳ（Ｔ1〜Ｔ4）、およびＤＲＳ（Ｐ1、Ｐ2、およびＰ1＋Ｐ2）のＲＥ位置は、例示としてのみ提示されたもので、ＲＢ構造の任意の他の望ましい構成を使用することもできる。さらに、図３〜図８では単純にするために、例示として２つの単一のビームフォーミングされた、または単一のプレコーディングされたパイロット（Ｐ1およびＰ2）だけが示されているが、一般に、複数のデータ送信ストリームをサポートするために、３つ以上の単一のビームフォーミングされた、または単一のプレコーディングされたパイロットを設けることができる。
【００２７】
単一のビームフォーミングされた、または単一のプレコーディングされたパイロットの使用は、ビームフォーミング情報またはプレコーディング情報の誤った検出を避けることができるが、オーバーヘッドの増加という犠牲をともなう。コンポジットのビームフォーミングされた、またはコンポジットのプレコーディングされたパイロットの使用は、オーバーヘッドを減らすことができるが、ビームフォーミング情報またはプレコーディング情報の起こりうる誤った検出という犠牲をともなう。単一のビームフォーミングされた、または単一のプレコーディングされたパイロットとコンポジットのビームフォーミングされた、またはコンポジットのプレコーディングされたパイロットとを組み合わせるハイブリッドＤＲＳ方式は、性能とオーバーヘッドとの間の効率的で有効なトレードオフを達成することができる。
【００２８】
一例では、Ｐ１、Ｐ２、Ｐ３、およびＰ＿Ｍと表される、送信できるＭ個の単一のビームフォーミングされた、または単一のプレコーディングされたパイロットのベクトル（すなわち、独立データストリーム）を示すＭ個のＭＩＭＯ送信レイヤ（transmission layers）と、１つのＲＢ内のＮ個のＤＲＳとがある場合に、Ｎ個のＤＲＳは、２つの異なるグループすなわちグループ１およびグループ２にパーティショニング(セグメント化)される。グループ１は、単一のビームフォーミングされた、または単一のプレコーディングされたパイロットのベクトルを送信するＮ１個のＤＲＳを有する。１つのＤＲＳは、Ｍ個の単一のビームフォーミングされた、または単一のプレコーディングされたパイロットのベクトルのうちの１つを送信する。図２〜図８は、ＤＲＳシンボルがそれに関する特定のビームフォーミングされたまたはプレコーディングされたパイロットのベクトルを送信するＲＢブロック構造のさまざまな例を示す。グループ２は、Ｎ２（Ｎ２＝Ｎ−Ｎ１）個のＤＲＳを有し、これらのＤＲＳは、コンポジットのビームフォーミングされた、またはコンポジットのプレコーディングされたパイロットを送信する。コンポジットパイロットは、複数の単一のビームフォーミングされた、または単一のプレコーディングされたパイロットのベクトルの重ね合せまたは加算である。たとえば、コンポジットパイロットＰ＿ｃ１を、Ｐ１とＰ２との重ね合せすなわち、Ｐ＿ｃ１＝Ｐ１＋Ｐ２とすることができる。あるいは、コンポジットパイロットＰ＿ｃ２を、Ｐ＿ｃ２＝Ｐ１＋Ｐ２＋…＋Ｐ＿Ｍになるように、すべてのパイロットのベクトルの重ね合せとすることができる。コンポジットパイロットＰ＿ｃは、任意の正しい個数の単一のビームフォーミングされた、または単一のプレコーディングされたパイロットのベクトルおよびそれらの任意の組み合わせとすることができる。たとえば、重ね合わされる２つの単一のビームフォーミングされた、または単一のプレコーディングされたパイロットのベクトルを有するコンポジットパイロット（Ｐ＿ｃ１）について、コンポジットパイロットのベクトルを、Ｐ１＋Ｐ２、Ｐ１＋Ｐ３、Ｐ１＋Ｐ＿Ｍ、Ｐ２＋Ｐ１、および類似物とすることができる。
【００２９】
図１を振り返って参照すると、システム１００が、ＤＲＳモード１およびＤＲＳモード２に従って動作することだけができる２モードシステムである場合に、基地局１０５によって送信されるＲＢの「制御タイプ」データシンボル内のＤＲＳモードインジケータは、システム１００が現在この２つのモードのうちのどちらで動作しているのかをＷＴＲＵ  １１０に示すことができる。ＤＲＳモード１について、基地局１０５によって送信されるＲＢは、単一のビームフォーミングされた、または単一のプレコーディングされたパイロットを含むＤＲＳだけを含む。ＤＲＳモード２について、基地局１０５によって送信されるＲＢは、コンポジットのビームフォーミングされた、またはコンポジットのプレコーディングされたパイロットを含むＲＤＳだけを含む。ＲＢの「制御タイプ」データシンボル内の１ビットＤＲＳモードインジケータを使用して、ＤＲＳモード１とＤＲＳモード２との間で切り替えるようにＷＴＲＵ  １１０に指示することができる。
【００３０】
ＤＲＳのために予約されたＲＥが存在しないＤＲＳモード０を有することも可能である。て図１を振り返って参照すると、システム１００が、ＤＲＳモード０（ＲＥがＤＲＳのために予約されていない）およびＤＲＳモード１（ＲＥが単一のビームフォーミングされた、または単一のプレコーディングされたパイロットを含むＤＲＳのために予約された）に従って動作することだけができる２モードシステムである場合に、基地局１０５によって送信されるＲＢの「制御タイプ」データシンボル内のＤＲＳモードインジケータは、システム１００が現在この２つのモードのうちのどちらで動作しているのかをＷＴＲＵ  １１０に示すことができる。ＤＲＳモード１について、基地局１０５によって送信されるＲＢは、単一のビームフォーミングされた、または単一のプレコーディングされたパイロットを含むＤＲＳだけを含む。ＤＲＳモード０について、基地局１０５によって送信されるＲＢは、ＤＲＳを含まず、したがって、単一のまたはコンポジットのビームフォーミングされた、またはコンポジットのプレコーディングされたパイロットを含まない。ＲＢの「制御タイプ」データシンボル内の１ビットＤＲＳモードインジケータを使用して、ＤＲＳモード１とＤＲＳモード０との間で切り替えるようにＷＴＲＵ  １１０に指示することができる。「制御タイプ」データシンボルは、上位レイヤシグナリング（たとえば、レイヤ２（Ｌ２）／レイヤ３（Ｌ３）シグナリング）または下位レイヤシグナリング（たとえば、レイヤ１（Ｌ１）シグナリング）のいずれかを担持することができる。
【００３１】
さらに図１を参照すると、システム１００が、ＤＲＳモード１、ＤＲＳモード２、ＤＲＳモード３、およびＤＲＳモード０に従って動作することができる４モードシステムである場合に、ＤＲＳモードインジケータ（複数のビットを有する）は、ＷＴＲＵ  １１０がどのＤＲＳモードおよび／または構成で動作しなければならないのかを示すことができる。
【００３２】
ＤＲＳモードインジケータシグナリングを、ＲＢ内のデータのために予約されたＲＥによって担持される「複数のビット」を使用して、上位レイヤシグナリング（たとえば、Ｌ２／Ｌ３シグナリング）を介して通信することができる。ＤＲＳモードインジケータシグナリングを、下位レイヤシグナリング（たとえば、Ｌ１シグナリング）を介してユーザに通信することも可能である。
【００３３】
ＤＲＳモード１およびモード２を組み合わせて、追加のＤＲＳ動作モードを作成することができる。ＤＲＳモード３は、ＤＲＳの前半が単一のビームフォーミングされた、または単一のプレコーディングされたパイロットの送信に使用され、ＤＲＳの後半がコンポジットのビームフォーミングされた、またはコンポジットのプレコーディングされたパイロットの送信に使用される形で定義することができる。さらに、パーティショニング（たとえば、どのＤＲＳおよび何個のＤＲＳ）およびＤＲＳタイプ（すなわち、単一のビームフォーミングされた、または単一のプレコーディングされたパイロットを含むＤＲＳおよびコンポジットのビームフォーミングされた、またはコンポジットのプレコーディングされたパイロットを含むＤＲＳ）のレイアウトに応じて、追加のＤＲＳモードを作成することができる。３つまたは４つのモードを使用するシステムに関して、２ビットを、ＤＲＳインジケータで使用することができる。４つを超えるモードを使用するシステムに関して、Ｙビットを使用することができ、ここで、Ｙ＞２である。
【００３４】
単一のビームフォーミングされた、または単一のプレコーディングされたパイロットを含むＤＲＳモード１は、非コードブックベースのビームフォーミングまたはプリコーディングに適する。コンポジットのビームフォーミングされた、またはコンポジットのプレコーディングされたパイロットを含むＤＲＳモード２は、コードブックベースのビームフォーミングまたはプリコーディングに適する。単一およびコンポジットのハイブリッドのビームフォーミングされたまたはプレコーディングされたパイロットを含むＤＲＳモード３は、同一システムに共存する非コードブックベースとコードブックベースとの両方のビームフォーミングまたはプリコーディングに適する。
【００３５】
図９は、図１のシステム１００内で実施される、基地局１０５によって送信されたＲＢ構造内のデータを検出／復調するためにＷＴＲＵ  １１０によって使用される有効チャネル応答推定値を生成するプロシージャ９００の流れ図である。ステップ９０５では、基地局１０５が、チャネル状態、ＷＴＲＵ速度、および／またはデータ転送速度（これらに限定はされない）に従って確定するＤＲＳモードに基づいてＷＴＲＵ  １１０にＲＢを送信する。ステップ９１０では、ＷＴＲＵ  １１０が、ＲＢを受信し、共通チャネル応答または有効チャネル応答のいずれかを推定し、ＲＢ内の「制御タイプ」データシンボル内にあるＤＲＳモードインジケータを復号する。「制御タイプ」データシンボルは、上位レイヤシグナリング（たとえば、レイヤ２／３シグナリング）または下位レイヤシグナリング（たとえば、レイヤ１シグナリング）のいずれかを表す。ステップ９１５では、ＷＴＲＵ  １１０が、ＤＲＳモードインジケータを使用して、ＲＢ  １２５内のどのＲＥをＤＲＳのために予約（リザーブ）するかどうかを判断し、特定のＤＲＳごとに、ＷＴＲＵ  １１０は、その特定のＤＲＳが、単一のビームフォーミングされたパイロットまたは単一のプレコーディングされたパイロットあるいはコンポジットのビームフォーミいずれかであるのかを判断する。ステップ９２０では、ＷＴＲＵ  １１０が、ステップ９１５の判断に基づいて有効チャネル応答を推定する。最後に、ステップ９２５で、ＷＴＲＵは、有効チャネル応答推定値を使用して、基地局１０５によって送信されたＲＢ  １２５内のデータの検出／復調／復号を実行する。
【００３６】
有効チャネル応答の推定は、単一のビームフォーミングされた、または単一のプレコーディングされたパイロットとコンポジットのビームフォーミングされた、またはコンポジットのプレコーディングされたパイロットとの両方を使用することによって改善することができる。有効チャネル応答は、単一のビームフォーミングされた、または単一のプレコーディングされたパイロットから（直接にまたは間接に、のいずれかで）入手することができる。有効チャネル応答の推定は、単一のビームフォーミングされた、または単一のプレコーディングされたパイロットからの直接と間接との両方の推定値が組み合わされる場合に、改善され得る。有効チャネル応答が、コンポジットのビームフォーミングされた、またはコンポジットのプレコーディングされたパイロットからも入手され得る場合には、有効チャネル応答の推定は、単一とコンポジットとの両方のビームフォーミングされたまたはプレコーディングされたパイロットからの推定値が組み合わされる場合に、さらに改善され得る。
【００３７】
２ＭＩＭＯレイヤの例では、各ＭＩＭＯレイヤの有効チャネル応答は、ビームフォーミングされたまたはプレコーディングされたパイロットを使用して推定される。Ｈ＿ｅｆｆ＿ｄは、直接推定から入手された有効チャネル行列として示される。各レイヤのビームフォーミングベクトルインデックスまたはプレコーディングベクトルインデックス（ＰＶＩ）は、ＰＶＩ妥当性確認（validation）を介して入手される。各レイヤの有効チャネル応答は、共通チャネル応答推定値に各ＰＶＩを乗じることによって計算される。Ｈ＿ｅｆｆ＿ｃは、計算から入手された有効チャネル行列として示される。次に、Ｈ＿ｅｆｆ＿ｄおよびＨ＿ｅｆｆ＿ｃの平均をとるか組み合わせることができ、組み合わせる時に、Ｈ＿ｅｆｆ＝ｗ１×Ｈ＿ｅｆｆ＿ｄ＋ｗ２×Ｈ＿ｅｆｆ＿ｃ（ただし、ｗ１およびｗ２は組合せ重みである）になるように、Ｈ＿ｅｆｆ＿ｄおよびＨ＿ｅｆｆ＿ｃに重み係数を適用することができる。
【００３８】
図１０は、特定のＤＲＳモードに従ってＲＢを送信するように構成されている、基地局１０００のブロック図である。基地局１０００は、ＭＩＭＯアンテナ１０１０、受信機１０１５、プロセッサ１０２０、および送信機１０２５を含むことができる。ＭＩＭＯアンテナ１０１０は、複数の送信アンテナを備える。プロセッサ１０２０は、送信機がＤＲＳモード０、ＤＲＳモード１、ＤＲＳモード２、またはＤＲＳモード３のいずれに従ってＲＢを送信すべきかを決定し、そのＤＲＳモードは、受信機１０１５によって決定されるチャネル状態、ＷＴＲＵの速度、および／またはデータ転送速度に基づいて選択される。プロセッサ１０２０は、選択されたＤＲＳモードに従ってＲＢを生成し、これによって、ＲＢは、少なくとも１つのＤＲＳモードインジケータビットを含む「制御タイプ」データシンボルを含む。ＲＢは、ＭＩＭＯアンテナ１０１０の送信アンテナを介して送信機１０２５によって送信される。
【００３９】
送信機１０２５を、ＭＩＭＯアンテナ１０１０を介して複数のＲＢを送信するように構成することができる。各ＲＢは、複数のＲＥを含む。各ＲＥは、ＣＲＳ、単一パイロットを含むＤＲＳ、コンポジットパイロットを含むＤＲＳ、およびデータシンボルのうちの１つのために予約され得る。プロセッサ１０２０を、ＲＢの特定のＲＢ構造を決定するように構成することができる。各ＲＢは、プロセッサ１０２０によって決定される特定のＲＢ構造を示す少なくとも１つのＤＲＳモードインジケータビットを有する少なくとも１つの「制御タイプ」データシンボルを含むことができる。
【００４０】
プロセッサ１０２０を、チャネル状態、ＷＴＲＵの速度、およびデータ転送速度のうちの少なくとも１つの変化の検出に応答して、ある特定のＲＢ構造から別のＲＢ構造に切り替えるように構成することができる。たとえば、プロセッサ１０２０を、各ＲＢ内の複数のＲＥのサブセットが単一のビームフォーミングされた、または単一のプレコーディングされたパイロットを含むＤＲＳのために予約される第１構成（すなわち、ＤＲＳモード１）からＲＥがＤＲＳのために予約されない第２構成（すなわち、ＤＲＳモード０）にＲＢの構造を切り替えるように構成することができる。代替案では、プロセッサ１０２０を、ＲＥがＤＲＳのために予約されない第１構成（すなわち、ＤＲＳモード０）から各ＲＢ内の複数のＲＥのサブセットが単一のビームフォーミングされた、または単一のプレコーディングされたパイロットを含むＤＲＳのために予約される第２構成（すなわち、ＤＲＳモード１）にＲＢの構造を切り替えるように構成することができる。
【００４１】
図１１は、図１０の基地局１０００によって送信されたＲＢを受信し、少なくとも１つのＤＲＳモードインジケータビットによって示される特定のＤＲＳモードに基づいてＲＢ内のデータを検出／復調／復号するように構成されたＷＴＲＵ  １１００のブロック図である。ＷＴＲＵ  １１００は、ＭＩＭＯアンテナ１１０５、高速フーリエ変換（ＦＦＴ）ユニット１１１５、信号解析ユニット１１２５、チャネル推定ユニット１１４０、およびデータ検出／復調／復号ユニット１１５０を含むことができる。ＭＩＭＯアンテナ１１０５は、複数の受信アンテナを含み、ＦＦＴユニット１１１５は、ＭＩＭＯアンテナ１１０５の受信アンテナのそれぞれの１つに対応する複数のＦＦＴサブアセンブリを含む。ＭＩＭＯアンテナ１１０５は、図１０の基地局１０００によって送信されたＲＢを受信し、対応する時間領域信号１１１０をＦＦＴユニット１１１５に転送し、ＦＦＴユニット１１１５は、この時間領域信号１１１０を周波数領域信号１１２０に変換する。信号解析ユニット１１２５は、周波数領域信号１１２０をＲＢのＤＲＳ／ＣＲＳ  １１３０およびＲＢのデータ（Ｄ）１１３５に解析する。信号解析ユニット１１２５は、ＤＲＳ／ＣＲＳ  １１３０をチャネル推定ユニット１１４０に転送し、データ（Ｄ）１１４０をデータ検出／復調／復号ユニット１１５０に転送し、データ検出／復調／復号ユニット１１５０は、少なくとも１つのＤＲＳモードインジケータビットを含むデータ（Ｄ）内の「制御タイプ」データシンボルを復号する。
【００４２】
信号解析ユニット１１２５は、データ検出／復調／復号ユニット１１５０によって生成された、復号されたＤＲＳモードインジケータ信号１１６０に基づいて、周波数領域信号１１２０を解析する。ＷＴＲＵ  １１００の受信機およびその信号解析ユニット１１２５は、復号されたＤＲＳモードインジケータ信号１１６０によって示される特定のＤＲＳモードに従って構成される。復号されたＤＲＳモードインジケータ信号１１６０は、復号されたＤＲＳモードによって示されるＲＢ構造（すなわち、ＤＲＳ／ＣＲＳ／Ｄレイアウト）に基づいて、ＷＴＲＵ  １１００の受信機および信号解析ユニット１１２５に、ＤＲＳ／ＣＲＳ  １１３０をチャネル推定ユニット１１４０に転送し、データ（Ｄ）１１４０をデータ検出／復調／復号ユニット１１５０に転送するように指示する。
【００４３】
「制御タイプ」データシンボルが、下位レイヤシグナリング（たとえば、Ｌ１シグナリング）を介して送信される場合に、チャネル推定ユニット１１４０は、ＣＲＳに基づいて共通チャネル応答を推定し、共通チャネル応答推定情報１１４５をデータ検出／復調／復号ユニット１１５０に転送し、データ検出／復調／復号ユニット１１５０は、共通チャネル応答推定情報１１４５に基づいて、ＤＲＳモードインジケータを含む「制御タイプ」データ（Ｄ）１１３５を復号する。復号されたＤＲＳモードインジケータに基づいて、信号解析ユニット１１２５は、ＤＲＳ／ＣＲＳ  １１３０をチャネル推定ユニット１１４０に転送し、データ（Ｄ）１１４０をデータ検出／復調／復号ユニット１１５０に転送する。チャネル推定ユニット１１４０は、ＤＲＳに基づいて有効チャネル応答を推定し、共通チャネル応答推定情報１１４５をデータ検出／復調／復号ユニット１１５０に転送し、データ検出／復調／復号ユニット１１５０は、共通チャネル応答推定情報１１４５に基づいて、「制御タイプ」データ（Ｄ）１１３５を復号する。
【００４４】
「制御タイプ」データシンボルが、上位レイヤシグナリング（たとえば、Ｌ２／３シグナリング）を介して送信される場合に、チャネル推定ユニット１１４０は、ＣＲＳおよび／またはＤＲＳに基づいて共通チャネル応答および／または有効チャネル応答（現在のＤＲＳモードに依存する）を推定し、有効チャネル応答推定情報１１４５をデータ検出／復調／復号ユニット１１５０に転送し、データ検出／復調／復号ユニット１１５０は、有効チャネル応答推定情報１１４５に基づいて、ＤＲＳモードインジケータを含む「制御タイプ」データ（Ｄ）１１３５を復号する。復号されたＤＲＳインジケータは、ＷＴＲＵ  １１００のＤＲＳモードを構成し、切り替えるのに使用され、このＤＲＳモードは、後続の送信および受信に使用される。現在の送信について、ＷＴＲＵ  １１００は、前の送信および受信で復号されたＤＲＳモードインジケータを使用する。
【００４５】
図１２は、図１０の基地局１０００によって送信されるＲＢを受信し、少なくとも１つのＤＲＳモードインジケータビットによって示される特定のＤＲＳモードに基づいてＲＢ内のデータを検出／復調／復号するように構成されたもう１つのＷＴＲＵ  １２００のブロック図である。ＷＴＲＵ  １２００は、ＭＩＭＯアンテナ１２０５、高速フーリエ変換（ＦＦＴ）ユニット１２１５、信号解析ユニット１２２５、ビームフォーミングまたはプリコーディング行列インデックス（PMI）妥当性確認ユニット１２４５、チャネル推定ユニット１２５５、有効チャネル行列ユニット１２６５、およびデータ検出／復調／復号ユニット１２７５を含むことができる。ＭＩＭＯアンテナ１２０５は、複数の受信アンテナを含み、ＦＦＴユニット１２１５は、ＭＩＭＯアンテナ１２０５の受信アンテナのそれぞれの１つに対応する複数のＦＦＴサブアセンブリを含む。ＭＩＭＯアンテナ１２０５は、図１０の基地局１０００によって送信されたＲＢを受信し、対応する時間領域信号１２１０をＦＦＴユニット１２１５に転送し、ＦＦＴユニット１２１５は、この時間領域信号１２１０を周波数領域信号１２２０に変換する。ＤＲＳモードインジケータが、上位レイヤシグナリング（たとえば、Ｌ２／３シグナリング）を介して送信される場合に、ＷＴＲＵ  １２００は、以前に受信され復号されたＤＲＳモードインジケータに基づいて、構成され、ＤＲＳモードに切り替えられる。信号解析ユニット１２２５は、周波数領域信号１２２０をＲＢのＤＲＳ  １２３０、ＣＲＳ  １２３５、およびデータ（Ｄ）１２４０に解析する。信号解析ユニット１２２５は、ＤＲＳ  １２３０をＰＭＩ妥当性確認ユニット１２４５に転送し、ＣＲＳ  １２３５をチャネル推定ユニット１２５５に転送し、データ（Ｄ）１２４０をデータ検出／復調／復号ユニット１２７５に転送し、データ検出／復調／復号ユニット１２７５は、データ（Ｄ）内のデータシンボルを復号する。データ検出／復調／復号ユニット１２７５は、ＤＲＳモードインジケータが下位レイヤシグナリング（たとえば、Ｌ１シグナリング）を介して送信される場合に、少なくとも１つのＤＲＳモードインジケータビットを含むデータ（Ｄ）内の「制御タイプ」データシンボルを復号する。ビームフォーミングまたはＰＭＩ妥当性確認ユニット１２４５は、ＰＭＩ妥当性確認信号１２５０を有効チャネル行列ユニット１２６５に転送する。チャネル推定ユニット１２５５は、ＣＲＳ  １２３５に基づいて共通チャネル応答を推定し、共通チャネル応答推定情報１２６０を有効チャネル行列ユニット１２６５に転送し、有効チャネル行列ユニット１２６５は、有効チャネル行列情報信号１２７０を生成する。有効チャネル行列ユニット１２６５は、有効チャネル行列情報信号１２７０をデータ検出／復調／復号ユニット１２７５に転送し、データ検出／復調／復号ユニット１２７５は、有効チャネル行列情報信号１２７０に基づいてデータ（Ｄ）１２４０を復号して、復号されたデータ１２８０を生成する。
【００４６】
信号解析ユニット１２２５は、データ検出／復調／復号ユニット１２７５によって生成される復号されたＤＲＳモードインジケータ信号１２８５に基づいて周波数領域信号１２２０を解析する。ＷＴＲＵ  １２００の受信機およびその信号解析ユニット１２２５は、復号されたＤＲＳモードインジケータ信号１２８５によって示される特定のＤＲＳモードに従って構成される。復号されたＤＲＳモードインジケータ信号１２８５は、ＷＴＲＵ  １２００の受信機および信号解析ユニット１２２５に、復号されたＤＲＳモードインジケータ信号１２８５によって示されるＲＢ構造（すなわち、ＤＲＳ／ＣＲＳ／Ｄレイアウト）に基づいて、ＣＲＳ  １２３５をチャネル推定ユニット１２５５に転送し、ＤＲＳ  １２３０をＰＭＩ妥当性確認ユニット１２４５に転送し、データ（Ｄ）１２４０をデータ検出／復調／復号ユニット１２７５に転送するように指示する。
【００４７】
ＰＭＩ妥当性確認ユニット（ＰＭＩvalidation unit; ＰＭＩ検証ユニットともいう）１２４５は、基地局１０００で使用されるビームフォーミング情報またはプリコーディング情報のブラインド検出を実行する。そのようなブラインド検出のアルゴリズムは、信号の「最小距離」または検出の「最大尤度」などのある種の判断基準に基づいて、最良のビームフォーミング情報またはプリコーディング情報をビームフォーミングコードブックまたはプリコーディングコードブックから検索する（式（５）および（６）を参照されたい）。
【００４８】
ビームフォーミングされたまたはプリコーディングされたパイロット方法では、各専用パイロット（Ｐ＿ｍ）が、すべてのアンテナを介して１つのビームフォーミングされたまたはプリコーディングされたパイロットを送信する。たとえば、それぞれ２つのデータストリームを有する４つのアンテナがある場合に、専用パイロットｍ＝１，２は、次のプリコーディングされたパイロットを送信する。
【００４９】
【数１】
0005898349.tif 000002
【００５０】
ここで、［ｖ＿ｍ１，…，ｖ＿ｍ４］＾Ｔは、第ｍストリームのプリコーディングベクトルであり、Ｃ＿ｍは、パイロットコードまたはパイロットシーケンスである。Ｍ個のデータストリームについて、Ｍ個の専用パイロットが必要であり、Ｍ個のプリコーディングされたパイロットが、それぞれ異なる副搬送波内で、Ｍ個の専用パイロットによって送信される。
【００５１】
チャネルは、すべてのアンテナにまたがって各専用パイロットを介して推定される。たとえば、４つのアンテナおよび２つのストリームがある場合に、各専用パイロットｍ＝１，２の受信信号モデルは、
【００５２】
【数２】
0005898349.tif 000003
【００５３】
である。有効チャネル行列は、
【００５４】
【数３】
0005898349.tif 000004
【００５５】
である。
【００５６】
有効チャネル応答を、例として次のように２つの専用パイロットを使用して推定することができる。
【００５７】
【数４】
0005898349.tif 000005
【００５８】
有効チャネル応答を、共通パイロットと専用パイロットとの両方を使用して推定することができる。チャネルＨを、共通パイロットＴ＿ｍから入手することができる。有効チャネル応答を、ＨおよびＶの乗算すなわち、Ｈ＿ｅｆｆ＝ＨＶを使用して計算することができ、ここで、Ｖは、ビームフォーミングベクトルまたは行列あるいはプリコーディングベクトルまたは行列である。有効チャネル応答Ｈ＿ｅｆｆを、式（３）および（４）のチャネル推定アルゴリズムを実行することによって、専用パイロットＰ＿ｍ（＝Ｖ＊Ｃ＿ｍ）から入手することができる。
【００５９】
ビームフォーミングまたはプリコーディング行列／ベクトルを復号する時に、ビームフォーミングベクトルまたはプリコーディングベクトルを、Ｍ個のビームフォーミングされたまたはプリコーディングされたパイロットｍ＝１，２，…，Ｍのそれぞれについて次のアルゴリズムを使用することによって検出することができる。
【００６０】
【数５】
0005898349.tif 000006
【００６１】
ビームフォーミングまたはプリコーディングの行列またはベクトルが入手された後に、有効チャネル応答を、Ｈ＿ｅｆｆ＝Ｈ×Ｖ＿ｈａｔによって計算することができ、ここで、Ｈは、共通チャネル応答であり、Ｖ＿ｈａｔは、検出されたビームフォーミングまたはプリコーディングの行列またはベクトルである。有効チャネル応答を、Ｍ個のビームフォーミングされたまたはプリコーディングされたパイロットｍ＝１，２，…，Ｍのそれぞれについて上で推定することもできる。
【００６２】
ビームフォーミングまたはプリコーディングの行列またはベクトルを、Ｍ個のビームフォーミングされたまたはプリコーディングされたパイロットに関する次のアルゴリズムを使用して検出することができる。
【００６３】
【数６】
0005898349.tif 000007
【００６４】
ここで、Ｖ＿ｈａｔは、検出されたビームフォーミングまたはプリコーディングの行列またはベクトルである。
【００６５】
有効チャネル応答Ｈ＿ｅｆｆは、コンポジットのビームフォーミングされた、またはコンポジットのプレコーディングされたパイロットもしくはコンポジット専用パイロットから入手することができる。ビームフォーミングまたはプリコーディングの行列またはベクトルは、Ｍ個のコンポジットのビームフォーミングされた、またはコンポジットのプレコーディングされたパイロットを使用して検出することができる。
【００６６】
【数７】
0005898349.tif 000008
【００６７】
ここで、Ｄ、｛Ｖｉ｝は、Ｖの集合である。たとえば、｛Ｖｉ｝を、｛Ｖ１，Ｖ２｝または｛Ｖ１，Ｖ３｝または｛Ｖ１，Ｖ２，Ｖ３｝、｛Ｖ１，Ｖ２，Ｖ３，Ｖ４｝、および類似物とすることができる。
【００６８】
共通パイロットと専用パイロットとの両方またはコンポジット専用パイロットからの有効チャネル応答の推定を組み合わせることによって、チャネル応答推定およびデータ検出の性能を改善することができる。代替案では、同一の性能について、展開される専用パイロットまたはコンポジット専用パイロットの個数を減らすことができる。
【００６９】
１ＭＩＭＯレイヤ、２ＭＩＭＯレイヤ、および３つ以上のＭＩＭＯレイヤの例は、次のとおりである。
【００７０】
１レイヤ
１）Ｈ＿ｅｆｆ＿ｄを入手する→Ｈ＿ｅｆｆ＿ｄを使用する（式（３）および（４）を参照されたい）。添字ｄは、Ｈ＿ｅｆｆを直接推定によって入手できることを意味する。下記について、同一である。
または
２）ＰＶＩを検出する→Ｈ＿ｅｆｆ＿ｃを計算し、使用する（式（５）および（６）から入手される）。添字ｃは、Ｈ＿ｅｆｆが計算によって得られることを意味する。同一のことが、下記にあてはまる。
または
３）Ｈ＿ｅｆｆ＿ｄを入手し、ＰＶＩを検出し、Ｈ＿ｅｆｆ＿ｃを計算する。Ｈ＿ｅｆｆ＿ｄおよびＨ＿ｅｆｆ＿ｃの平均をとるか組み合わせる。
【００７１】
２ＭＩＭＯレイヤ
１）ｈ＿ｅｆｆ＿ｄ１およびｈ＿ｅｆｆ＿ｄ２を入手する。Ｈ＿ｅｆｆ＿ｄ＝［ｈ＿ｅｆｆ＿ｄ１  ｈ＿ｅｆｆ＿ｄ２］である。
２）ＰＶＩ１およびＰＶＩ２を入手する→ｈ＿ｅｆｆ＿ｃ１およびｈ＿ｅｆｆ＿ｃ２を計算する。Ｈ＿ｅｆｆ＿ｃ＝［ｈ＿ｅｆｆ＿ｃ１  ｈ＿ｅｆｆ＿ｃ２］である。
３）Ｈ＿ｅｆｆ＿ｄおよびＨ＿ｅｆｆ＿ｃの平均をとるか組み合わせる。
【００７２】
３つ以上のＭＩＭＯレイヤ
１）ＰＭＩを入手する→Ｈ＿ｅｆｆ＿ｃを計算する。
【００７３】
実施形態
１．特定の専用基準信号（ＤＲＳ）モードに従ってリソースブロック（ＲＢ）を送信する無線通信方法であって、
複数のＲＢを生成することであって、各ＲＢは、複数のリソース要素（ＲＥ）を含み、各ＲＥは、共通基準信号（ＣＲＳ）、単一パイロットを含むＤＲＳ、コンポジットパイロットを含むＤＲＳ、およびデータシンボルのうちの１つのために予約される、生成することと、
複数の送信アンテナを有するＭＩＭＯ（ｍｕｌｔｉｐｌｅ−ｉｎｐｕｔ  ｍｕｌｔｉｐｌｅ−ｏｕｔｐｕｔ）アンテナを介して前記ＲＢを送信することと
を含むことを特徴とする方法。
２．前記単一パイロットは、単一のビームフォーミングされた、または単一のプレコーディングされたパイロットであることを特徴とする実施形態１に記載の方法。
３．前記コンポジットパイロットは、コンポジットのビームフォーミングされた、またはコンポジットのプレコーディングされたパイロットであることを特徴とする実施形態２に記載の方法。
４．前記ＲＢのそれぞれは、単一のビームフォーミングされた、または単一のプレコーディングされたパイロットを含むＤＲＳのために予約された複数のＲＥを含むことを特徴とする実施形態１〜３のいずれか１つに記載の方法。
５．前記ＲＢのそれぞれは、複数のＣＲＳのために予約された複数のＲＥを含み、ＣＲＳの各１つは、送信アンテナの特定の１つに関連することを特徴とする実施形態１〜３のいずれか１つに記載の方法。
６．前記ＲＢのそれぞれは、ＲＢに関連する特定のＤＲＳモードを示す少なくとも１つのＤＲＳモードインジケータビットを含む少なくとも１つの「制御タイプ」データシンボルを含むことを特徴とする実施形態１〜５のいずれか１つに記載の方法。
７．前記特定のＤＲＳモードは、各ＤＲＳが単一のビームフォーミングされた、または単一のプレコーディングされたパイロットを含むＲＢ構造に関連することを特徴とする実施形態６に記載の方法。
８．前記特定のＤＲＳモードは、各ＤＲＳがコンポジットのビームフォーミングされた、またはコンポジットのプレコーディングされたパイロットを含むＲＢ構造に関連することを特徴とする実施形態６に記載の方法。
９．前記特定のＤＲＳモードは、少なくとも１つのＲＢが単一のビームフォーミングされた、または単一のプレコーディングされたパイロットを含むＤＲＳのために予約される複数のＲＥを含み、少なくとももう１つのＲＢが、コンポジットのビームフォーミングされた、またはコンポジットのプレコーディングされたパイロットを含むＤＲＳのために予約される複数のＲＥを含むＲＢ構造に関連することを特徴とする実施形態６に記載の方法。
１０．前記特定のＤＲＳモードは、１つのＲＢが、単一のビームフォーミングされた、または単一のプレコーディングされたパイロットを含むＤＲＳのために予約される複数のＲＥの第１グループと、コンポジットのビームフォーミングされた、またはコンポジットのプレコーディングされたパイロットを含むＤＲＳのために予約されるＲＥの第２グループとを含み、もう１つのＲＢが、コンポジットのビームフォーミングされた、またはコンポジットのプレコーディングされたパイロットを含むＤＲＳのために予約される複数のＲＥを含み、単一のビームフォーミングされた、または単一のプレコーディングされたパイロットを含むＤＲＳのために予約されるＲＥを含まないＲＢ構造に関連することを特徴とする実施形態６に記載の方法。
１１．前記特定のＤＲＳモードは、各ＲＢが単一のビームフォーミングされた、または単一のプレコーディングされたパイロットを含むＤＲＳのために予約される複数のＲＥの第１グループおよびコンポジットのビームフォーミングされた、またはコンポジットのプレコーディングされたパイロットを含むＤＲＳのために予約されるＲＥの第２グループを含むＲＢ構造に関連することを特徴とする実施形態６に記載の方法。
１２．上位レイヤシグナリングまたは下位レイヤシグナリングを介してＤＲＳ動作モードをシグナリングするＤＲＳモードインジケータを送信することであって、前記ＤＲＳ動作モードは、ＲＢ内のＤＲＳの構成を示す、送信すること
をさらに含むことを特徴とする実施形態１〜１１のいずれか１つに記載の方法。
１３．複数の送信アンテナを有するＭＩＭＯ（ｍｕｌｔｉｐｌｅ−ｉｎｐｕｔ  ｍｕｌｔｉｐｌｅ−ｏｕｔｐｕｔ）アンテナと、
複数のリソースブロック（ＲＢ）を生成するプロセッサであって、各ＲＢは、複数のリソース要素（ＲＥ）を含み、各ＲＥは、共通基準信号（ＣＲＳ）、単一パイロットを含む特定の専用基準信号（ＤＲＳ）、コンポジットパイロットを含むＤＲＳ、およびデータシンボルのうちの１つのために予約される、プロセッサと、
前記ＭＩＭＯアンテナを介して生成されたＲＢを送信する送信機と
を含むことを特徴とする基地局。
１４．前記単一パイロットは、単一のビームフォーミングされた、または単一のプレコーディングされたパイロットであることを特徴とする実施形態１３に記載の基地局。
１５．前記コンポジットパイロットは、コンポジットのビームフォーミングされた、またはコンポジットのプレコーディングされたパイロットであることを特徴とする実施形態１４に記載の基地局。
１６．前記ＲＢのそれぞれは、単一のビームフォーミングされた、または単一のプレコーディングされたパイロットを含むＤＲＳのために予約される複数のＲＥを含むことを特徴とする実施形態１３〜１５のいずれか１つに記載の基地局。
１７．前記ＲＢのそれぞれは、複数のＣＲＳのために予約される複数のＲＥを含み、ＣＲＳの各１つは、送信アンテナの特定の１つに関連することを特徴とする実施形態１３〜１５のいずれか１つに記載の基地局。
１８．前記ＲＢのそれぞれは、ＲＢに関連する特定のＤＲＳモードを示す少なくとも１つのＤＲＳモードインジケータビットを含む少なくとも１つの「制御タイプ」データシンボルを含むことを特徴とする実施形態１３〜１７のいずれか１つに記載の基地局。
１９．前記特定のＤＲＳモードは、各ＤＲＳが単一のビームフォーミングされた、または単一のプレコーディングされたパイロットを含むＲＢ構造に関連することを特徴とする実施形態１８に記載の基地局。
２０．前記特定のＤＲＳモードは、各ＤＲＳがコンポジットのビームフォーミングされた、またはコンポジットのプレコーディングされたパイロットを含むＲＢ構造に関連することを特徴とする実施形態１８に記載の基地局。
２１．前記特定のＤＲＳモードは、少なくとも１つのＲＢが単一のビームフォーミングされた、または単一のプレコーディングされたパイロットを含むＤＲＳのために予約される複数のＲＥを含み、もう１つのＲＢがコンポジットのビームフォーミングされた、またはコンポジットのプレコーディングされたパイロットを含むＤＲＳのために予約される複数のＲＥを含むＲＢ構造に関連することを特徴とする実施形態１８に記載の基地局。
２２．前記特定のＤＲＳモードは、１つのＲＢが、単一のビームフォーミングされた、または単一のプレコーディングされたパイロットを含むＤＲＳのために予約される複数のＲＥの第１グループと、コンポジットのビームフォーミングされた、またはコンポジットのプレコーディングされたパイロットを含むＤＲＳのために予約されるＲＥの第２グループとを含み、もう１つのＲＢが、コンポジットのビームフォーミングされた、またはコンポジットのプレコーディングされたパイロットを含むＤＲＳのために予約される複数のＲＥを含み、単一のビームフォーミングされた、または単一のプレコーディングされたパイロットを含むＤＲＳのために予約されるＲＥを含まないＲＢ構造に関連することを特徴とする実施形態１８に記載の基地局。
２３．前記特定のＤＲＳモードは、各ＲＢが単一のビームフォーミングされた、または単一のプレコーディングされたパイロットを含むＤＲＳのために予約される複数のＲＥの第１グループおよびコンポジットのビームフォーミングされた、またはコンポジットのプレコーディングされたパイロットを含むＤＲＳのために予約されるＲＥの第２グループを含むＲＢ構造に関連することを特徴とする実施形態１８に記載の基地局。
２４．前記基地局は、上位レイヤシグナリングまたは下位レイヤシグナリングを介してＤＲＳ動作モードをシグナリングするＤＲＳモードインジケータを送信し、ＤＲＳ動作モードは、ＲＢ内のＤＲＳの構成を示すことを特徴とする実施形態１３〜２３のいずれか１つに記載の基地局。
２５．リソースブロック（ＲＢ）内のデータを検出する無線通信方法であって、
複数のＲＢを受信することであって、各ＲＢは、複数のリソース要素（ＲＥ）を含み、各ＲＥは、共通基準信号（ＣＲＳ）、単一パイロットを含む専用基準信号（ＤＲＳ）、コンポジットパイロットを含むＤＲＳ、およびデータシンボルのうちの１つのために予約される、受信することと、
どのＲＥがＤＲＳのために予約されているのかを判定することと、
特定のＤＲＳごとに、特定のＤＲＳが単一パイロットまたはコンポジットパイロットのどちらであるのかを判定することと、
有効チャネル応答を推定することと、
有効チャネル推定応答に基づいてデータシンボルのために予約されているＲＥ内のデータを検出することと
を含むことを特徴とする方法。
２６．前記単一パイロットは、単一のビームフォーミングされた、または単一のプレコーディングされたパイロットであることを特徴とする実施形態２５に記載の方法。
２７．前記コンポジットパイロットは、コンポジットのビームフォーミングされた、またはコンポジットのプレコーディングされたパイロットであることを特徴とする実施形態２６に記載の方法。
２８．前記ＲＢのそれぞれは、ＲＢに関連する特定のＤＲＳモードを示す少なくとも１つのＤＲＳモードインジケータビットを含む少なくとも１つの「制御タイプ」データシンボルを含むことを特徴とする実施形態２５〜２７のいずれか１つに記載の方法。
２９．前記特定のＤＲＳモードは、各ＤＲＳが単一のビームフォーミングされた、または単一のプレコーディングされたパイロットを含むＲＢ構造に関連することを特徴とする実施形態２８に記載の方法。
３０．前記特定のＤＲＳモードは、各ＤＲＳがコンポジットのビームフォーミングされた、またはコンポジットのプレコーディングされたパイロットを含むＲＢ構造に関連することを特徴とする実施形態２８に記載の方法。
３１．前記特定のＤＲＳモードは、少なくとも１つのＲＢが単一のビームフォーミングされた、または単一のプレコーディングされたパイロットを含むＤＲＳのために予約される複数のＲＥを含み、もう１つのＲＢがコンポジットのビームフォーミングされた、またはコンポジットのプレコーディングされたパイロットを含むＤＲＳのために予約される複数のＲＥを含むＲＢ構造に関連することを特徴とする実施形態２８に記載の方法。
３２．前記特定のＤＲＳモードは、１つのＲＢが、単一のビームフォーミングされた、または単一のプレコーディングされたパイロットを含むＤＲＳのために予約される複数のＲＥの第１グループと、コンポジットのビームフォーミングされた、またはコンポジットのプレコーディングされたパイロットを含むＤＲＳのために予約されるＲＥの第２グループとを含み、もう１つのＲＢが、コンポジットのビームフォーミングされた、またはコンポジットのプレコーディングされたパイロットを含むＤＲＳのために予約される複数のＲＥを含み、単一のビームフォーミングされた、または単一のプレコーディングされたパイロットを含むＤＲＳのために予約されるＲＥを含まないＲＢ構造に関連することを特徴とする実施形態２８に記載の方法。
３３．前記特定のＤＲＳモードは、各ＲＢが単一のビームフォーミングされた、または単一のプレコーディングされたパイロットを含むＤＲＳのために予約される複数のＲＥの第１グループおよびコンポジットのビームフォーミングされた、またはコンポジットのプレコーディングされたパイロットを含むＤＲＳのために予約されるＲＥの第２グループを含むＲＢ構造に関連することを特徴とする実施形態２８に記載の方法。
３４．前記上位レイヤシグナリングまたは下位レイヤシグナリングを介してＤＲＳ動作モードをシグナリングするＤＲＳモードインジケータを受信することであって、ＤＲＳ動作モードは、ＲＢ内のＤＲＳの構成を示す、受信すること
をさらに含むことを特徴とする実施形態２５〜３３のいずれか１つに記載の方法。
３５．複数のリソースブロック（ＲＢ）を受信するように構成されたＭＩＭＯ（ｍｕｌｔｉｐｌｅ−ｉｎｐｕｔ  ｍｕｌｔｉｐｌｅ  ｏｕｔｐｕｔ）アンテナであって、各ＲＢは、複数のリソース要素（ＲＥ）を含み、各ＲＥは、共通基準信号（ＣＲＳ）、単一パイロットを含む専用基準信号（ＤＲＳ）、コンポジットパイロットを含むＤＲＳ、およびデータシンボルのうちの１つのために予約される、ＭＩＭＯ（ｍｕｌｔｉｐｌｅ−ｉｎｐｕｔ  ｍｕｌｔｉｐｌｅ  ｏｕｔｐｕｔ）アンテナと、
ＲＢ内のＤＲＳに基づいて有効チャネル応答を推定するように構成されたチャネル推定ユニットであって、特定のＤＲＳごとに、特定のＤＲＳが単一パイロットまたはコンポジットパイロットのどちらであるのかに関する判定が行われる、チャネル推定ユニットと、
チャネル推定ユニットによって生成された有効チャネル推定応答に基づいてデータシンボルのために予約されているＲＥ内のデータを検出し、復号されたデータを出力するように構成されたデータ検出ユニットと
を含むことを特徴とする無線送受信ユニット（ＷＴＲＵ）。
３６．前記単一パイロットは、単一のビームフォーミングされた、または単一のプレコーディングされたパイロットであることを特徴とする実施形態３５に記載のＷＴＲＵ。
３７．前記コンポジットパイロットは、コンポジットのビームフォーミングされた、またはコンポジットのプレコーディングされたパイロットであることを特徴とする実施形態３６に記載のＷＴＲＵ。
３８．前記ＲＢのそれぞれは、ＲＢに関連する特定のＤＲＳモードを示す少なくとも１つのＤＲＳモードインジケータビットを含む少なくとも１つの「制御タイプ」データシンボルを含むことを特徴とする実施形態３５〜３７のいずれか１つに記載のＷＴＲＵ。
３９．前記特定のＤＲＳモードは、各ＤＲＳが単一のビームフォーミングされた、または単一のプレコーディングされたパイロットを含むＲＢ構造に関連することを特徴とする実施形態３８に記載のＷＴＲＵ。
４０．前記特定のＤＲＳモードは、各ＤＲＳがコンポジットのビームフォーミングされた、またはコンポジットのプレコーディングされたパイロットを含むＲＢ構造に関連することを特徴とする実施形態３８に記載のＷＴＲＵ。
４１．前記特定のＤＲＳモードは、少なくとも１つのＲＢが単一のビームフォーミングされた、または単一のプレコーディングされたパイロットを含むＤＲＳのために予約される複数のＲＥを含み、もう１つのＲＢがコンポジットのビームフォーミングされた、またはコンポジットのプレコーディングされたパイロットを含むＤＲＳのために予約される複数のＲＥを含むＲＢ構造に関連することを特徴とする実施形態３８に記載のＷＴＲＵ。
４２．前記特定のＤＲＳモードは、１つのＲＢが、単一のビームフォーミングされた、または単一のプレコーディングされたパイロットを含むＤＲＳのために予約される複数のＲＥの第１グループと、コンポジットのビームフォーミングされた、またはコンポジットのプレコーディングされたパイロットを含むＤＲＳのために予約されるＲＥの第２グループとを含み、もう１つのＲＢが、コンポジットのビームフォーミングされた、またはコンポジットのプレコーディングされたパイロットを含むＤＲＳのために予約される複数のＲＥを含み、単一のビームフォーミングされた、または単一のプレコーディングされたパイロットを含むＤＲＳのために予約されるＲＥを含まないＲＢ構造に関連することを特徴とする実施形態３８に記載のＷＴＲＵ。
４３．前記特定のＤＲＳモードは、各ＲＢが単一のビームフォーミングされた、または単一のプレコーディングされたパイロットを含むＤＲＳのために予約される複数のＲＥの第１グループおよびコンポジットのビームフォーミングされた、またはコンポジットのプレコーディングされたパイロットを含むＤＲＳのために予約されるＲＥの第２グループを含むＲＢ構造に関連することを特徴とする実施形態３８に記載のＷＴＲＵ。
４４．前記ＤＲＳ動作モードをシグナリングするＤＲＳモードインジケータは、上位レイヤシグナリングまたは下位レイヤシグナリングを介して受信され、ＤＲＳ動作モードは、ＲＢ内のＤＲＳの構成を示すことを特徴とする実施形態３５〜４３のいずれか１つに記載のＷＴＲＵ。
４５．特定の専用基準信号（ＤＲＳ）モードに従ってリソースブロック（ＲＢ）を復号する無線通信方法であって、
複数のＲＢを受信することであって、各ＲＢは、複数のリソース要素（ＲＥ）を含み、各ＲＥは、共通基準信号（ＣＲＳ）、単一パイロットを含むＤＲＳ、コンポジットパイロットを含むＤＲＳ、およびデータシンボルのうちの１つのために予約される、受信することと、
ＲＢ内のＲＥのうちの１つによって予約される制御タイプデータシンボルを復号することと、
復号された制御タイプデータシンボルに基づいて、復号されたＤＲＳモードインジケータを生成することと、
復号されたＤＲＳモードインジケータに基づいて、ＲＢ内のＲＥのうちのいずれかがＤＲＳのために予約されるかどうかを判定することと、
ＤＲＳモードインジケータによって示されるＤＲＳモードに基づいて、共通チャネル応答推定を実行すべきかどうかを判定することと
を含むことを特徴とする方法。
４６．前記復号されたＤＲＳモードインジケータはＤＲＳのために予約されるＲＢ内のＲＥがあることを示す場合に、チャネル推定は、ＲＥによって予約されるＤＲＳに基づいて実行され、復号されたＤＲＳモードインジケータはＤＲＳのために予約されるＲＢ内のＲＥがないことを示す場合に、チャネル推定は、実行されないことを特徴とする実施形態４５に記載の方法。
４７．特定の専用基準信号（ＤＲＳ）モードに従ってリソースブロック（ＲＢ）を復号する無線通信方法であって、
複数のＲＢを受信することであって、各ＲＢは、複数のリソース要素（ＲＥ）を含み、各ＲＥは、共通基準信号（ＣＲＳ）、単一パイロットを含むＤＲＳ、コンポジットパイロットを含むＤＲＳ、およびデータシンボルのうちの１つのために予約される、受信することと、
第１のＤＲＳモードに従ってＲＢを処理することと、
ＲＢ内のＲＥのうちの１つによって予約される制御タイプデータシンボルを復号することと、
復号された制御タイプデータシンボルに基づいて、復号されたＤＲＳモードインジケータ信号を生成することであって、復号されたモードインジケータ信号は、第２のＤＲＳモードを示す、生成することと、
第２のＤＲＳモードに従って後続ＲＢを処理することと
を含むことを特徴とする方法。
４８．前記有効チャネル応答推定は、第１モードに従って、ＲＥによって予約されるＤＲＳに基づいて実行され、有効チャネル応答推定は、第２モードに従って、ＲＥがＤＲＳを予約しないので実行されないことを特徴とする実施形態４７に記載の方法。
４９．特定の専用基準信号（ＤＲＳ）モードに従ってリソースブロック（ＲＢ）を復号する無線通信方法であって、
複数のＲＢを受信することであって、各ＲＢは、複数のリソース要素（ＲＥ）を含み、各ＲＥは、共通基準信号（ＣＲＳ）、単一パイロットを含むＤＲＳ、コンポジットパイロットを含むＤＲＳ、およびデータシンボルのうちの１つのために予約される、受信することと、
ＲＢ内のＲＥのうちの１つによって予約される制御タイプデータシンボルを復号することと、
復号された制御タイプデータシンボルに基づいて、復号されたＤＲＳモードインジケータ信号を生成することと、
復号されたＤＲＳモードインジケータ信号に基づいて、ＲＢ内のＲＥのうちのいずれかがＤＲＳのために予約されるかどうかを判定することと、
ＤＲＳモードインジケータによって示されるＤＲＳモードに基づいて、有効チャネル応答推定を実行すべきかどうかを判定することと
を含むことを特徴とする方法。
５０．前記復号されたＤＲＳモードインジケータはＤＲＳのために予約されるＲＢ内のＲＥがあることを示す場合に、有効チャネル応答推定は、ＲＥによって予約されるＤＲＳに基づいて実行され、復号されたＤＲＳモードインジケータはＤＲＳのために予約されるＲＢ内のＲＥがないことを示す場合に、有効チャネル応答推定は、実行されないことを特徴とする実施形態４９に記載の方法。
５１．ＭＩＭＯ（ｍｕｌｔｉｐｌｅ−ｉｎｐｕｔ  ｍｕｌｔｉｐｌｅ  ｏｕｔｐｕｔ）アンテナと、
ＭＩＭＯアンテナを介して複数のリソースブロック（ＲＢ）を送信するように構成された送信機であって、各ＲＢは、複数のリソース要素（ＲＥ）を含み、各ＲＥは、共通基準信号（ＣＲＳ）、単一パイロットを含む専用基準信号（ＤＲＳ）、コンポジットパイロットを含むＤＲＳ、およびデータシンボルのうちの１つのために予約される、送信機と、
ＲＢの特定のＲＢ構造を判定するように構成されたプロセッサであって、各ＲＢは、プロセッサによって判定される特定のＲＢ構造を示す少なくとも１つのＤＲＳモードインジケータビットを有する少なくとも１つの「制御タイプ」データシンボルを含む、プロセッサと
を含むことを特徴とする基地局。
５２．前記プロセッサは、チャネル状態、無線送受信ユニット（ＷＴＲＵ）の速度、およびデータ転送速度のうちの少なくとも１つの変化の検出に応答して、一特定のＲＢ構造から別のＲＢ構造に切り替えるように構成されることを特徴とする実施形態５１に記載の基地局。
５３．前記単一パイロットは、単一のビームフォーミングされた、または単一のプレコーディングされたパイロットであることを特徴とする実施形態５１に記載の基地局。
５４．コンポジットパイロットは、コンポジットのビームフォーミングされた、またはコンポジットのプレコーディングされたパイロットであることを特徴とする実施形態５３に記載の基地局。
５５．前記特定のＲＢ構造内の各ＤＲＳは、単一のビームフォーミングされた、または単一のプレコーディングされたパイロットを含むことを特徴とする実施形態５１〜５４のいずれか１つに記載の基地局。
５６．前記特定のＲＢ構造内の各ＤＲＳは、コンポジットのビームフォーミングされた、またはコンポジットのプレコーディングされたパイロットを含むことを特徴とする実施形態５１〜５４のいずれか１つに記載の基地局。
５７．前記特定のＲＢ構造内の少なくとも１つのＲＢは、単一のビームフォーミングされた、または単一のプレコーディングされたパイロットを含むＤＲＳのために予約される複数のＲＥを含み、特定のＲＢ構造内の少なくとももう１つのＲＢは、コンポジットのビームフォーミングされた、またはコンポジットのプレコーディングされたパイロットを含むＤＲＳのために予約される複数のＲＥを含むことを特徴とする実施形態５１〜５４のいずれか１つに記載の基地局。
５８．前記特定のＲＢ構造内の少なくとも１つのＲＢは、単一のビームフォーミングされた、または単一のプレコーディングされたパイロットを含むＤＲＳのために予約される複数のＲＥの第１グループと、コンポジットのビームフォーミングされた、またはコンポジットのプレコーディングされたパイロットを含むＤＲＳのために予約されるＲＥの第２グループとを含み、特定のＲＢ構造内の少なくとももう１つのＲＢは、コンポジットのビームフォーミングされた、またはコンポジットのプレコーディングされたパイロットを含むＤＲＳのために予約される複数のＲＥを含み、単一のビームフォーミングされた、または単一のプレコーディングされたパイロットを含むＤＲＳのために予約されるＲＥを含まないことを特徴とする実施形態５１〜５４のいずれか１つに記載の基地局。
５９．前記特定のＲＢ構造内のＲＢのそれぞれは、単一のビームフォーミングされた、または単一のプレコーディングされたパイロットを含むＤＲＳのために予約される複数のＲＥの第１グループおよびコンポジットのビームフォーミングされた、またはコンポジットのプレコーディングされたパイロットを含むＤＲＳのために予約されるＲＥの第２グループを含むことを特徴とする実施形態５１〜５４のいずれか１つに記載の基地局。
６０．ＭＩＭＯ（ｍｕｌｔｉｐｌｅ−ｉｎｐｕｔ  ｍｕｌｔｉｐｌｅ  ｏｕｔｐｕｔ）アンテナと、
ＭＩＭＯアンテナを介して複数のリソースブロック（ＲＢ）を送信するように構成された送信機であって、各ＲＢは、複数のリソース要素（ＲＥ）を含む、送信機と、
単一パイロットを含む専用基準信号（ＤＲＳ）のために各ＲＢ内の複数のＲＥのサブセットが予約される第１構成から、ＲＥがＤＲＳのために予約されない第２構成へＲＢの構造を切り替えるように構成されたプロセッサと
を含むことを特徴とする基地局。
６１．前記単一パイロットは、単一のビームフォーミングされた、または単一のプレコーディングされたパイロットであることを特徴とする実施形態６０に記載の基地局。
６２．ＭＩＭＯ（ｍｕｌｔｉｐｌｅ−ｉｎｐｕｔ  ｍｕｌｔｉｐｌｅ  ｏｕｔｐｕｔ）アンテナと、
ＭＩＭＯアンテナを介して複数のリソースブロック（ＲＢ）を送信するように構成された送信機であって、各ＲＢは、複数のリソース要素（ＲＥ）を含む、送信機と、
ＲＥが専用基準信号（ＤＲＳ）のために予約されない第１構成から、単一パイロットを含むＤＲＳのために各ＲＢ内の複数のＲＥのサブセットが予約される第２構成へＲＢの構造を切り替えるように構成されたプロセッサと
を含むことを特徴とする基地局。
６３．前記単一パイロットは、単一のビームフォーミングされた、または単一のプレコーディングされたパイロットであることを特徴とする実施形態６２に記載の基地局。
【００７４】
特徴および要素を、上で特定の組合せで説明したが、各特徴または要素を、他の特徴および要素を伴わずに単独で、または他の特徴および要素を伴う、もしくは伴わない、さまざまな組合せで使用することができる。本明細書で提供された方法または流れ図を、汎用コンピュータまたはプロセッサによる実行のために、コンピュータ可読記憶媒体に組み込まれるコンピュータプログラム、ソフトウェア、またはファームウェアで実施することができる。コンピュータ可読記憶媒体の例は、読取り専用メモリ（ＲＯＭ）、ランダムアクセスメモリ（ＲＡＭ）、レジスタ、キャッシュメモリ、半導体メモリデバイス、内蔵ハードディスクおよびリムーバブルディスク（着脱可能ディスク）などの磁気媒体、光磁気媒体、ならびにＣＤ−ＲＯＭディスクおよびディジタル多用途ディスク（ＤＶＤ）などの光媒体を含む。
【００７５】
適切なプロセッサは、たとえば、汎用プロセッサ、特殊目的プロセッサ、通常のプロセッサ、ディジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、および／または状態機械を含む。
【００７６】
ソフトウェアと関連してプロセッサを使用して、無線送受信ユニット（ＷＴＲＵ）、ユーザ機器（ＵＥ）、端末、基地局、無線ネットワークコントローラ（ＲＮＣ）、または任意のホストコンピュータで使用するための、無線周波数送受信機を実施することができる。ＷＴＲＵは、カメラ、ビデオカメラモジュール、ビデオ電話、スピーカホン、振動デバイス、スピーカ、マイクロホン、テレビジョン受像機、ハンズフリーヘッドセット、キーボード、Ｂｌｕｅｔｏｏｔｈ（登録商標）モジュール、周波数変調（ＦＭ）ラジオユニット、液晶ディスプレイ（ＬＣＤ）ディスプレイユニット、有機発光ダイオード（ＯＬＥＤ）ディスプレイユニット、ディジタル音楽プレイヤ、メディアプレイヤ、ビデオゲームプレイヤモジュール、インターネットブラウザ、および／または任意の無線ローカルエリアネットワーク（ＷＬＡＮ）モジュールもしくはウルトラワイドバンド（ＵＷＢ）モジュールなど、ハードウェアおよび／またはソフトウェアで実施されるモジュールと共に使用することができる。
【産業上の利用可能性】
【００７７】
本発明は、一般的に無線通信システムに利用することができる。
【符号の説明】
【００７８】
１０５、１０００  基地局
１１０、１１００、１２００  ＷＴＲＵ
１０１０、１１０５、１２０５  ＭＩＭＯアンテナ
１０１５  受信機
１０２０  プロセッサ
１０２５  送信機
１１１５、１２１５  高速フーリエ変換ユニット
１１２５、１２２５  信号解析ユニット
【図１】
0005898349.tif 000009
【図２】
0005898349.tif 000010
【図３】
0005898349.tif 000011
【図４】
0005898349.tif 000012
【図５】
0005898349.tif 000013
【図６】
0005898349.tif 000014
【図７】
0005898349.tif 000015
【図８】
0005898349.tif 000016
【図９】
0005898349.tif 000017
【図１０】
0005898349.tif 000018
【図１１】
0005898349.tif 000019
【図１２】
0005898349.tif 000020